(57)【特許請求の範囲】
【請求項１】
モータのヨークハウジング開口端に取り付けられるカップ状エンドフレームに対して着脱自在に取り付けられると共に、前記カップ状エンドフレームの側壁内面側のテーパ面に沿った外形を持った雑音防止ユニットのケーシングと、ターミナル部材を介し少なくともチョークコイルとコンデンサのいずれか一方を含む雑音防止素子を外部電源接続ターミナルと接続してなり、前記外部電源接続ターミナルがターミナル接続部に配置されるように前記ケーシングに予め組み込まれ、かつ、前記モータのカップ状エンドフレームに固定されるブラシホルダに取り付けられるブラシと接続する雑音防止回路とを備え、前記ケーシングと前記カップ状エンドフレームには各々係合する係合部が形成されるとともに、前記ケーシングをカップ状エンドフレームのテーパ状内壁に沿って雑音防止ユニットをモータ軸方向からワンタッチ装着可能にし、前記カップ状エンドフレームの側壁内面側に収納する一方、前記ケーシングのターミナル接続部をモータの外部に配置してなるモータの雑音防止構造。
【発明の詳細な説明】
【０００１】
【発明の属する技術分野】
この発明は車両用空調装置のブロアモータ等に適用するモータの雑音防止構造に関する。
【０００２】
【従来の技術】
特開平３−８６０５２号に見られるようにモータの給電用ブラシ部より発生する高周波電波雑音を防止するため、モータのエンドフレームに雑音防止ユニットを組み付けている。その際、雑音防止ユニットをエンドフレーム径方向（モータ軸と直角方向）から挿入し、その後ヨークハウジングをモータ軸方向からエンドフレームおよび雑音防止ユニットに組み付けている。
さらに、モータのブラシとターミナルとの間に、雑音防止ユニットの構成要素であるチョークコイルおよびコンデンサよりなる雑音防止素子を電気接続しているが、これらとターミナルとの接続は同一箇所で一括結線している。
【０００３】
【発明が解決しようとする課題】
しかしながら、上記のように雑音防止ユニットの組み付けが２方向にわたると自動化組付けが複雑になってしまう。さらに、ファンモータ全体をモータ軸方向に短くする要求に対して、シロッコファン自体をモータ側に近接させた場合、平坦なエンドフレームでは、エンドフレームの周囲（ヨークハウジングとエンドフレームとの接合部）がファンの内側に当接しないように間隔を空ける配置となり、全体長さが大きくなってしまう。
さらに、チョークコイルの結線部をターミナル部材に手で押さえながら仮配置し、コンデンサの結線部をその同一箇所に配置し、ターミナル部材を曲げて結線する作業は非常に煩雑であり、結線不良も出やすい。
【０００４】
この発明はこのような問題を解決するもので、エンドフレームを側面がテーパ状（傾斜状）となったカップ形状にし、そのカップ状エンドフレームのテーパ状内壁に沿って雑音防止ユニットをモータ軸方向からワンタッチ装着可能にし、モータとファンとの近接配置を可能にするとともに組付性の向上を目的とする。
【０００５】
【課題を解決するための手段】
上記目的を達成するために、請求項１に記載の発明は、モータのヨークハウジング開口端に取り付けられるカップ状エンドフレームに対して着脱自在に取り付けられると共に、前記カップ状エンドフレームの側壁内面側のテーパ面に沿った外形を持った雑音防止ユニットのケーシングと、ターミナル部材を介し少なくともチョークコイルとコンデンサのいずれか一方を含む雑音防止素子を外部電源接続ターミナルと接続してなり、前記外部電源接続ターミナルがターミナル接続部に配置されるように前記ケーシングに予め組み込まれ、かつ、前記モータのカップ状エンドフレームに固定されるブラシホルダに取り付けられるブラシと接続する雑音防止回路とを備え、前記ケーシングと前記カップ状エンドフレームには各々係合する係合部が形成されるとともに、前記ケーシングをカップ状エンドフレームのテーパ状内壁に沿って雑音防止ユニットをモータ軸方向からワンタッチ装着可能にし、前記カップ状エンドフレームの側壁内面側に収納する一方、前記ケーシングのターミナル接続部をモータの外部に配置してなる。さらに請求項２において、前記雑音防止ユニットの前記ターミナル部材は、モータ内部に設けたチョークコイル接続部とコンデンサ接続部、さらにモータの外部に設けたターミナル接続部からなっている。
【０００６】
【作用】
この発明のモータの雑音防止構造は、上記構成によれば、雑音防止ユニットをワンタッチでカップ状のエンドフレームにモータ軸方向に組付けることができ、電波雑音の放射を防止するとともに、その組付の自動化を容易にし、モータとファンの近接配置により全体長さを短くすることができる。
さらに、コンデンサ、チョークコイルとターミナル部材の接続が容易になる。
【０００７】
【発明の実施の形態】
次に、本発明を図に示す実施の形態を図面に従って説明する。
図1は本発明の一実施例を示す全体構成図、図２はその要部構造を示す分解説明図である。
図１、図２において、1はモータのアーマチャ、2はモータのコンミテータ、３は出力軸、４はヨークハウジング、５はヨークハウジング４の内壁に固定した永久磁石である。６は出力軸３に固定されたシロッコファンで、車両用空調装置の送風を行う。７はカップ状エンドフレーム、８は雑音防止ユニットのケーシング、９はブラシ、１０はピッグテール。１１はブラシホルダでブラシ９の振動をカップ状エンドフレーム７に伝えないように樹脂で成型されている。１２はコンデンサ、１３はチョークコイルでピッグテール１０によりブラシ９に電気接続されている。１４はターミナル部材で、コンデンサ１２をコンデンサ接続部１４ａで、チョークコイル１３をチョークコイル接続部１４ｂでそれぞれ接続している。
【０００８】
雑音防止ユニットのケーシング８にはフック８ａが形成されていてケーシング８をカップ状エンドフレーム７に挿入すると穴７ａに引っかかり、固着される。
ケーシング８をカップ状エンドフレーム７の側壁内面側にモータ軸方向に組付けた後で、ヨークハウジング４をその切欠部４ａからターミナル接続部１４ｃだけがモータの外部に出るようにモータ軸方向に組付ける。
【０００９】
雑音防止ユニットのケーシング８は樹脂成型で、金属でできたカップ状エンドフレーム７の側壁内面側のテーパ面に沿った外形を持ち、フック８ａがエンドフレームから出るだけで、雑音防止ユニットの主要部はすべてエンドフレーム内に収まり、雑音の外部への漏れを防止している。また、内側に一対のチョークコイル収納部を設けている。この収納部はチョークコイル１３を覆わず、下部と左右から支える形になっている。さらに、コンデンサ１２の収納用の凹部を設けてある。また、モータの外部にターミナル接続部１４ｃが伸ばせるように、ターミナル支持部１５はカップ状エンドフレーム７とヨークハウジング４の外部に飛び出している。ターミナル部材１４はコンデンサ１２とはコンデンサ接続部１４ａで接続され、チョークコイル１３とはチョークコイル接続部１４ｂで結線されている。ケーシング８はこれらの接続部を露出させて組み付けを容易にするように形成されている。ターミナル部材１４に接続部を3箇所独立して設けることによって、結線を容易にした。
【００１０】
ヨークハウジング４には一対のブラシホルダ装着用の切欠部と雑音防止ユニットのターミナル支持部１５装着用の切欠部が設けてある。
図１に示したように、カップ状エンドフレーム７によりヨークハウジング４をシロッコファン６に近接させて、ファンモータ全体を軸方向に短くすることができる。ターミナル接続部１４ｃはシロッコファン６に当たらない所まで伸ばしている。
【００１１】
次に、上記構成において、その作動を説明する。
まず、図示しないファンスイッチを投入すると、車両用空調装置の電気回路を通ってモータのターミナル接続部１４ｃ、雑音防止回路、ピッグテール１０、ブラシ９、コンミテータ２、アーマチャ１に給電し、このアーマチャ１が回転し、その回転駆動力により出力軸３を通してシロッコファン６を回転させ、送風を開始する。
その際、コンミテータ２とブラシ９の接触給電部での電気的断続作動により発生する高周波雑音は雑音防止ユニットのコンデンサ１２およびチョークコイル１３により吸収し、外部への電波雑音の放射を防止している。さらに、エンドフレームを金属のカップ状にすることにより雑音放射が防止される。
【００１２】
【発明の効果】
以上の説明より明らかなように、本発明によれば、テーパ面を備えるカップ状のエンドフレームに対しても雑音防止ユニットを簡単に組み付けられる。その場合、雑音防止ユニットをヨークハウジングと同一方向に挿入組み付けできる。すなわち、ケーシングをカップ状エンドフレームのテーパ状内壁に沿って雑音防止ユニットをモータ軸方向からワンタッチ装着可能にしたため、組み付けの自動化が容易となる。また、ターミナル部材へのチョークコイル、コンデンサの接続を別箇所にしたため、結線部を同一箇所に集約した場合に生ずる仮配置、仮固定等の煩雑な作業が不要となり、組付性が向上する。
【図面の簡単な説明】
【図１】  本発明の一実施例を示す全体構成図である。
【図２】  図１における要部構造を示す分解説明図である。
【符号の説明】
１… アーマチャ、  ２… コンミテータ、  ３… 出力軸、
４… ヨークハウジング、  ５… 永久磁石、
６… シロッコファン、  ７… カップ状エンドフレーム、
８… 雑音防止ユニットのケーシング、  ９… ブラシ、
１０… ピッグテール、  １１… ブラシホルダ、
１２… コンデンサ、   １３… チョークコイル、
１４… ターミナル部材、  １４ａ… コンデンサ接続部、
１４ｂ… チョークコイル接続部、１４ｃ… ターミナル接続部、
１５… ターミナル支持部
【図１】
0004068220.tif 000002
【図２】
0004068220.tif 000003